(57)【要約】【課題】構造を簡単に留めた上で省スペース化を図ることができる機器用コネクタ装置を提供する。【解決手段】機器のケースに装着されＩ字形端子からなる機器側端子１０を装着面２１から導入可能な筐体２０と、筐体２０における装着面２１と直交して隣り合った側面において、ハーネスＷＨの端末に設けられた可動側コネクタ８０と嵌合可能に装着された待ち受け側コネクタ６０と、ハーネスＷＨの各電線Ｗと個別に接続可能でかつ機器側端子１０と直交して先端同士が重なる姿勢で待ち受け側コネクタ６０に保持されたＩ字形端子からなる電線側端子６１と、電線側端子６１と機器側端子１０とをボルト締結するために筐体２０に設けられた開口部４０と、開口部４０を閉鎖するべく着脱可能に設けられたサービスカバー５０と、が具備されている。【選択図】図９
2016213046.tif 000002
【特許請求の範囲】
【請求項１】
機器のケースに装着されＩ字形端子からなる機器側端子を装着面から導入可能な筐体と、
前記筐体における前記装着面と直交して隣り合った側面において、ハーネスの端末に設けられた可動側コネクタと嵌合可能に装着された待ち受け側コネクタと、
前記ハーネスの各電線と個別に接続可能でかつ前記機器側端子と直交して先端同士が重なる姿勢で前記待ち受け側コネクタに保持されたＩ字形端子からなる電線側端子と、
前記電線側端子と前記機器側端子とをボルト締結するために前記筐体に設けられた開口部と、
前記開口部を閉鎖するべく着脱可能に設けられたサービスカバーと、
が具備された機器用コネクタ装置。
【請求項２】
前記可動側コネクタが前記待ち受け側コネクタから離脱される前の状態では前記サービスカバーが取り外されることを阻止する取り外し阻止機構部が設けられている請求項１に記載の機器用コネクタ装置。
【請求項３】
前記可動側コネクタと前記待ち受け側コネクタとは、前記可動側コネクタに設けられたボルト支持部に回転のみを自由に支持されたボルトが、前記筐体に対向して設けられた締結部のボルト孔にねじ込まれることで嵌合状態に保持されるようになっており、前記サービスカバーには、前記ボルトが貫通された形態で前記ボルト支持部と前記締結部の間に挟持される被挟持板が設けられることにより、前記取り外し阻止機構部が構成されている請求項２に記載の機器用コネクタ装置。
【請求項４】
前記サービスカバーは、ねじ止めにより前記筐体の前記開口部を閉鎖して装着されるようになっており、前記可動側コネクタには、同可動側コネクタが前記待ち受け側コネクタに嵌合されている限りは前記サービスカバーの前記ねじ止め部を覆う覆い部が設けられることにより、前記取り外し阻止機構部が構成されている請求項２に記載の機器用コネクタ装置。
【請求項５】
前記サービスカバーが前記開口部を閉鎖して装着される部分の構造が、パッキンを介した防水構造となっている請求項１ないし請求項４のいずれか一項に記載の機器用コネクタ装置。
【発明の詳細な説明】
【技術分野】
【０００１】
本明細書によって開示される技術は、機器側端子と電線側端子とをボルト締結により接続する形式の機器用コネクタ装置に関する。
【背景技術】
【０００２】
この種の機器用コネクタ装置の一例として、機器のケースに装着される筐体を備え、同筐体の装着面からバスバーからなる機器側端子が導入される一方、ハーネスの端末に設けられたコネクタに、各電線に接続された同じくバスバーからなる電線側端子が保持され、同コネクタを筐体における装着面とは反対側の側面に装着することにより、筐体内において対向した機器側端子と電線側端子の先端同士を重ね、サービスカバーを外すことで開放された筐体の上面の開口部を通し、両端子の重ね部分をボルト締めすることで接続するようにしたものが知られている。なお、このようなサービスカバーを利用して端子同士をボルト締結する機器用コネクタ装置は、例えば下記特許文献１に記載されている。
【先行技術文献】
【特許文献】
【０００３】
【特許文献１】特開２０１２−２４８４１５号公報
【発明の概要】
【発明が解決しようとする課題】
【０００４】
ところでこの種の機器用コネクタ装置において、スペース等の関係から、引き出されたハーネスを側方に屈曲して配線したい場合があるが、特に電線径が太い場合には電線が屈曲される部分に相応のスペースを要するために、十分に省スペース化を図ることができない。
また、電線側端子にＬ字形端子を適用することも実施されているが、同電線側端子を保持するコネクタの構造が複雑化する嫌いがあった。
本明細書によって開示される機器用コネクタ装置は、上記のような事情に基づいて完成されたものであって、その目的は、構造を簡単に留めた上で省スペース化を図るところにある。
【課題を解決するための手段】
【０００５】
本明細書によって開示される機器用コネクタ装置は、機器のケースに装着されＩ字形端子からなる機器側端子を装着面から導入可能な筐体と、前記筐体における前記装着面と直交して隣り合った側面において、ハーネスの端末に設けられた可動側コネクタと嵌合可能に装着された待ち受け側コネクタと、前記ハーネスの各電線と個別に接続可能でかつ前記機器側端子と直交して先端同士が重なる姿勢で前記待ち受け側コネクタに保持されたＩ字形端子からなる電線側端子と、前記電線側端子と前記機器側端子とをボルト締結するために前記筐体に設けられた開口部と、前記開口部を閉鎖するべく着脱可能に設けられたサービスカバーと、が具備されたところに特徴を有する。
【０００６】
待ち受け側コネクタを装着した状態で筐体を機器のケースに装着すると、装着面から機器側端子が導入されることにより、同機器側端子と、待ち受け側コネクタに保持された電線側端子とが互いに直交姿勢を採って先端同士が重ねられる。次に、サービスカバーを外すことで開放された筐体の開口部を通して、機器側端子と電線側端子の重ね合わせ部分をボルト締めすることで、両端子の導通が採られる。最後に、ハーネスの端末に設けられた可動側コネクタを待ち受け側コネクタに嵌合することで、各電線が電線側端子と個別に接続され、これにより所定の導電路が構成される。
ハーネスが、筐体における装着面とは直交して隣り合った側面から引き出される構造であるから、筐体すなわち機器用コネクタ装置の突出端側の省スペース化を図ることができる。ハーネスを側方に引き出す手段として、シンプルな構造のＩ字形端子同士を直交姿勢でボルト締めするようにしたから、待ち受け側コネクタや筐体等、全体構造を簡単に留めることができる。
【０００７】
また、以下のような構成としてもよい。
（１）前記可動側コネクタが前記待ち受け側コネクタから離脱される前の状態では前記サービスカバーが取り外されることを阻止する取り外し阻止機構部が設けられている。
可動側コネクタが待ち受け側コネクタから離脱される前は、サービスカバーを外すことができない。言い換えると、可動側コネクタが待ち受け側コネクタから離脱されて導電路の通電状態が解除されて初めて、サービスカバーを外すことができる。
【０００８】
（２）前記可動側コネクタと前記待ち受け側コネクタとは、前記可動側コネクタに設けられたボルト支持部に回転のみを自由に支持されたボルトが、前記筐体に対向して設けられた締結部のボルト孔にねじ込まれることで嵌合状態に保持されるようになっており、前記サービスカバーには、前記ボルトが貫通された形態で前記ボルト支持部と前記締結部の間に挟持される被挟持板が設けられることにより、前記取り外し阻止機構部が構成されている。
可動側コネクタのボルト支持部と、筐体の締結部との間に、サービスカバーに設けた被挟持板を挟んだ形態において、ボルト支持部に支持したボルトを被挟持板を貫通して締結部のボルト孔にねじ込むことにより、可動側コネクタと待ち受け側コネクタとが嵌合状態に保持される。ボルトを緩めて同ボルトともども可動側コネクタを待ち受け側コネクタから離脱させると、被挟持板がボルトに係止することが解除されて、サービスカバーの取り外しが可能となる。
【０００９】
（３）前記サービスカバーは、ねじ止めにより前記筐体の前記開口部を閉鎖して装着されるようになっており、前記可動側コネクタには、同可動側コネクタが前記待ち受け側コネクタに嵌合されている限りは前記サービスカバーの前記ねじ止め部を覆う覆い部が設けられることにより、前記取り外し阻止機構部が構成されている。
可動側コネクタが待ち受け側コネクタに嵌合されているとき、可動側コネクタに設けられた覆い部が、サービスカバーのねじ止め部を覆っている。可動側コネクタが待ち受け側コネクタから離脱されると、覆い部が移動してねじ止め部が開放され、ねじを緩めることが可能となり、すなわちサービスカバーの取り外しが可能となる。
【００１０】
（４）前記サービスカバーが前記開口部を閉鎖して装着される部分の構造が、パッキンを介した防水構造となっている。開口部からの浸水が防止される。
【発明の効果】
【００１１】
本明細書によって開示される機器用コネクタ装置によれば、構造を簡単に留めた上で省スペース化を図ることができる。
【図面の簡単な説明】
【００１２】
【図１】実施形態１に係る機器用コネクタ装置の分解斜視図
【図２】分解状態の平面図
【図３】同正面図
【図４】同縦断面図
【図５】図３のV−V線断面図
【図６】可動側コネクタを嵌合する前の状態の平面図
【図７】同正面図
【図８】嵌合状態の斜視図
【図９】同平面図
【図１０】同正面図
【図１１】同背面図
【図１２】同左側面図
【図１３】同右側面図
【図１４】同縦断面図
【図１５】同平断面図
【図１６】図１３のXVI−XVI線断面図
【図１７】実施形態２に係る可動側コネクタを嵌合する前の状態の平面図
【図１８】同正面図
【図１９】同縦断面図
【図２０】嵌合状態の斜視図
【図２１】同平面図
【図２２】同正面図
【図２３】同背面図
【図２４】同左側面図
【図２５】同右側面図
【図２６】図２１のXXVI−XXVI線断面図
【発明を実施するための形態】
【００１３】
＜実施形態１＞
実施形態１を図１ないし図１６に基づいて説明する。
本実施形態は、電源と車載機器とを結ぶ電気系統に介設される機器用コネクタ装置を例示しており、図１に示すように、機器のケースの縦面に装着される筐体２０と、筐体２０の背面である装着面２１側から導入される２本の機器側端子１０と、各機器側端子１０と個別に接続される２本の電線側端子６１を保持して筐体２０の右側面に装着される待ち受け側コネクタ６０と、２本の電線ＷからなるハーネスＷＨの端末において上記の待ち受け側コネクタ６０と嵌合可能に設けられた可動側コネクタ８０等を備えて構成されている。
【００１４】
機器側端子１０は、直線状のバスバー（Ｉ字形端子）から構成され、長さが異なる２本が備えられている。２本の機器側端子１０は、それぞれの基端が揃って機器の端子接続部（図示せず）に接続されて、手前側に向けて突出するように配されており、両機器側端子１０の先端部は、ケースの縦面に開口された取付孔を貫通してケースの手前側に突出するようになっている。両機器側端子１０の長さが異なっていることから、図５に示すように、短寸側の機器側端子１０Ｓの先端部よりも、長寸側の機器側端子１０Ｌの先端部の方が手前側に大きく突出する。両機器側端子１０の先端部には、ボルト挿通孔１１が開口されている。
【００１５】
筐体２０はアルミダイキャスト製であって、シールド体としての機能も兼用しており、概ね扁平な方形箱状に形成されている。筐体２０の装着面２１（ケースに当てられる背面）には、図５及び図１１に示すように、上記した機器側端子１０が導入可能な導入孔２２が形成されている。導入孔２２は、ケースの取付孔と整合した形状に形成され、後記するインターロックコネクタ１０５も導入可能となっている。
筐体２０の装着面２１の四つ角には、ボルト挿通孔２４が開口された取付片２３が突出形成されている。装着面２１の表面において導入孔２２の孔縁に沿うようにして形成されたパッキン装着溝２６には、取付孔の孔縁部に当接可能なパッキン２５が装着されている。
【００１６】
筐体２０の導入孔２２には、合成樹脂製の絶縁カバー３０（図１参照）が装着されている。絶縁カバー３０は、図１１に参照して示すように、導入孔２２における背面視で左側の領域に嵌る基部３１から、上下一対の板部３２が突出形成された形状であって、この基部３１には、上記した各機器側端子１０が貫通して挿入される２個の挿入溝３３が並んで形成されている。なお、絶縁カバー３０における背面視で右側縁における基部３１寄りの位置には、インターロック回路１００の一部を構成するコネクタ部１２０が設けられているが、これについては後述する。
絶縁カバー３０は導入孔２２に背面側から挿入されて、図５に示すように、上下の板部３２の先端が筐体２０の手前側の内壁面に当たったところで正規装着され、図１１に示すように、基部３１並びにコネクタ部１２０が導入孔２２を塞いだ状態となる。
【００１７】
筐体２０は、絶縁カバー３０が予め装着された状態において、装着面２１が、導入孔２２を取付孔に整合させた形態でケースの縦面に当てられ、四つ角の取付片２３をボルト締めすることにより、ケースの縦面に取り付けられるようになっている。その際、パッキン２５により取付孔の回りがシールされる。また、機器から突設された２本の機器側端子１０Ｓ，１０Ｌが、絶縁カバー３０の基部３１の挿入溝３３を通って、筐体２０の内部、詳細には、絶縁カバー３０の上下の板部３２の間に仕切壁３３Ａを挟んで導入されるようになっている。
このとき、両機器側端子１０Ｓ，１０Ｌの先端部の進出量が異なるが、絶縁カバー３０の上板３２Ｕには、図１に示すように、各機器側端子１０Ｓ，１０Ｌの先端部のボルト挿通孔１１と対応する位置に、それぞれ円形の作業孔３４が開口されている。
【００１８】
筐体２０における装着面２１とは直角をなして隣り合った右側面には、待ち受け側コネクタ６０が嵌着されるコネクタ装着部３５が形成されている。このコネクタ装着部３５は、図４にも示すように、横長の長円形をなす筒形に形成されている。
コネクタ装着部３５の嵌合端側（図４の右側）における手前側の面には、図５に示すように、待ち受け側コネクタ６０を締結して取り付けるための第１締結部３６が手前側に向けて突出形成され、第１締結部３６には行き止まり状のボルト孔３６Ａが形成されている。コネクタ装着部３５の同じく嵌合端側における上面の中央長さ位置には、後記する可動側コネクタ８０を締結して取り付けるための第２締結部３７が立ち上がり形成され、第２締結部３７には、図４に示すように、貫通状のボルト孔３８が形成されている。
【００１９】
待ち受け側コネクタ６０を先に説明する。待ち受け側コネクタ６０は雄側のコネクタであって、上記した機器側端子１０と個別にボルト締結される２本の電線側端子６１と、これらの２本の電線側端子６１を保持する雄ハウジング６５とを備えている。
電線側端子６１は、基端側に丸ピン端子６２が設けられたバスバー（Ｉ字形端子）からなり、バスバーの延出長さが異なる２種類が備えられている。両電線側端子６１Ｓ，６１Ｌの先端部には、ボルト孔６３が形成されている。
【００２０】
雄ハウジング６５は合成樹脂製であって、図５に示すように、横長の長円形で後面（同図の右側の面）が開放されたフード状をなすハウジング本体６６を備えており、このハウジング本体６６の前面には、２本の端子台６７が並んで突出形成されている。
ハウジング本体６６は、前面（閉鎖面）側の方が、後面（開放面）側よりも内周面が少し縮径された段差状に形成されており、このハウジング本体６６の前端側が、上記した筐体２０におけるコネクタ装着部３５内に、第１シールリング６８Ａを介して水密に嵌着可能となっている。
【００２１】
端子台６７は、手前側と奥側とで突出長さが異なっており、奥側の短寸の端子台６７には短寸の電線側端子６１Ｓが、手前側の長寸の端子台６７には長寸の電線側端子６１Ｌがそれぞれ装着されている。両電線側端子６１Ｓ，６１Ｌの丸ピン端子６２は、端子台６７の基端部に設けられた挿通部６７Ａを通って、ハウジング本体６６内の前端側に並んで同じ寸法突出するようになっている。両丸ピン端子６２の間は、ハウジング本体６６内に設けられた絶縁用の仕切壁６９によって仕切られている。
【００２２】
待ち受け側コネクタ６０が、筐体２０のコネクタ装着部３５に正規量嵌合されると、図１５に示すように、両端子台６７の先端部が筐体２０内に進出し、詳細には、各電線側端子６１の先端部が、絶縁カバー３０の上下の板部３２の間において、上板３２Ｕに開口された作業孔３４の直下にそれぞれ整合する位置まで進出するようになっている。
なお、待ち受け側コネクタ６０における雄ハウジング６５のハウジング本体６６の手前側の面には、筐体２０のコネクタ装着部３５に突設された第１締結部３６と対向してボルト支持部７０が突設され、同ボルト支持部７０には、第１締結部３６のボルト孔３６Ａに螺合される第１ボルト７１の挿通孔７０Ａが形成されている。
【００２３】
待ち受け側コネクタ６０が装着された状態から、筐体２０が上記のようにケースの縦面に取り付けられると、機器側端子１０が電線側端子６１の上面に沿うように筐体２０内に導入されることに伴い、図１５に示すように、短寸側の機器側端子１０Ｓと電線側端子６１Ｓ、また長寸側の機器側端子１０Ｌと電線側端子６１Ｌが、互いに直交姿勢を取って、ボルト挿通孔１１とボルト孔６３とを同心に整合させつつ、先端部同士が上下に重ね合わされるようになっている。
【００２４】
筐体２０の上面には、上記の重ね合わされた機器側端子１０と電線側端子６１とをボルト締結するための作業用の開口部４０が形成されている。この開口部４０は、横長に扁平化された八角形状をなし、絶縁カバー３０の上板３２Ｕに形成された２個の作業孔３４を上方に開放できるように、正面視で左手前の角から右奥の角に向かう対角線に沿って形成されている。
筐体２０の上面には、開口部４０の口縁に沿うようにしてパッキン装着溝４１が形成され、同パッキン装着溝４１にパッキン４２が装着されている。また、筐体２０の上面における開口部４０の回りの３位置、詳細には、左手前角部、奥縁における左端部にやや寄った位置、並びに右側縁における手前側の端部にやや寄った位置の３位置に、後記するサービスカバー５０を取り付けるための取付座４３が設けられている。各取付座４３には、ボルト孔４３Ａが形成されている。
【００２５】
筐体２０の上面には、上記した開口部４０を覆うサービスカバー５０が着脱可能に被着されるようになっている。サービスカバー５０はアルミダイキャスト製であって、筐体２０の上面に被せられる概ね方形状をなすカバー本体５１と、コネクタ装着部３５の上面に被せられるべくカバー本体５１の右側縁から延出された延出部５２とを備えている。
カバー本体５１の周縁部における３位置、詳細には、上記の各取付座４３と対応した左手前角部、奥縁における左端部にやや寄った位置、並びに右側縁における手前側の端部にやや寄った位置の３位置に、第２ボルト５３が挿通されるボルト挿通孔５３Ａが形成されている。
【００２６】
延出部５２には、コネクタ装着部３５の上面の一部を上方に開放し、かつ同コネクタ装着部３５に立ち上がり形成された第２締結部３７を挿通可能な窓孔５５が開口されている。延出部５２の後縁には、後記する可動側コネクタ８０に設けられた第３ボルト９２を支持するボルト支持部９０との間で挟持される被挟持板５６が立ち上がり形成されている。被挟持板５６はより詳細には、第２締結部３７を窓孔５５に挿通しつつ延出部５２がコネクタ装着部３５の上面に当てられた場合に、第２締結部３７の右側面（ボルト支持部９０との対向面）に沿って立ち上がるように形成されている。被挟持板５６は、背の低い山形をなし、その頂上部には、第３ボルト９２の軸部を板厚方向に挿通可能とした断面略半円形をなす挿通溝５７が形成されている。
【００２７】
ハーネスＷＨの端末には、待ち受け側コネクタ６０と嵌合される可動側コネクタ８０が設けられている。可動側コネクタ８０は雌側のコネクタであって、各電線Ｗの端末に圧着された端子金具８１と、同端子金具８１が収容される雌ハウジング８２と、雌ハウジング８２の外周に嵌着されるシールドシェル８７等を備えて構成されている。
端子金具８１は例えばソケット端子であって、上記の待ち受け側コネクタ６０に保持された電線側端子６１の基端側の丸ピン端子６２と嵌合接続可能となっている。
【００２８】
雌ハウジング８２は合成樹脂製であって、図５に示すように、上記した待ち受け側コネクタ６０の雄ハウジング６５のハウジング本体６６における後部内に緊密に嵌合される嵌合部８３Ａと、同嵌合部８３Ａの後面における後面視で右端部に寄った位置に連設された幅狭部８３Ｂと、からなる段付状に形成されている。嵌合部８３Ａの前面における前面視で左端部に寄った位置には、２本の筒部８４が並んで形成されている。雌ハウジング８２内には、各筒部８４の先端開口から幅狭部８３Ｂの後面に達する２つの端子収容室８５が並んで形成されている。
【００２９】
各電線Ｗの端末に設けられた端子金具８１は、対応する端子収容室８５に後方から挿入され、ランスにより抜け止めされて収容され、各端子収容室８５の後端はゴム栓８６でシールされるようになっている。
雌ハウジング８２の嵌合部８３Ａの前面における前面視で右端部には、インターロック回路１００の一部を構成するショートピン装着部１０２が設けられているが、これについては後述する。
【００３０】
シールドシェル８７はアルミダイキャスト等により形成され、雌ハウジング８２の嵌合部８３Ａの後端部の外周にクリアランスを持って嵌合される前側筒部８８Ａの後方に、幅狭部８３Ｂの外周に略緊密に嵌合される後側筒部８８Ｂが連設された段付きの筒状に形成されている。このシールドシェル８７の後端部には、例えば２本の電線Ｗを覆って配された一括シールド部材の端末が嵌められて固定されるようになっている。
【００３１】
シールドシェル８７における前側筒部８８Ａの上面の前縁には、山形をなすボルト支持部９０が立ち上がり形成され、同ボルト支持部９０の頂上部には、上記した筐体２０に設けられた第２締結部３７のボルト孔３８と同軸で対向するようにしてボルト挿通孔９１が形成されている。このボルト挿通孔９１には、上記のボルト孔３８に螺合される第３ボルト９２が挿通され、Ｅリング９３等で抜け止めされることにより、第３ボルト９２が回転のみを自由に支持されている。
【００３２】
可動側コネクタ８０は、筐体２０に装着された待ち受け側コネクタ６０に対し、サービスカバー５０が被着された状態において嵌合されるようになっている。可動側コネクタ８０における雌ハウジング８２の嵌合部８３Ａが、待ち受け側コネクタ６０のハウジング本体６６に嵌合されると、嵌合途中でシールドシェル８７のボルト支持部９０に支持された第３ボルト９２の先端が、筐体２０に設けられた第２締結部３７のボルト孔３８に係合し、続いて同第３ボルト９２をねじ込むことで嵌合が進み、図１５に示すように、嵌合部８３Ａの前面の周縁が、雄ハウジング６５のハウジング本体６６における内周の段差部６６Ａに当たったところで嵌合が停止し、正規嵌合状態となる。このとき、図９及び図１０に示すように、サービスカバー５０に突設された被挟持板５６が、挿通溝５７に第３ボルト９２を貫通させつつ、第２締結部３７とボルト支持部９０との間に挟まれた状態となる。
【００３３】
正規嵌合状態では、図１５に示すように、各電線Ｗの端末に設けられた端子金具８１が、待ち受け側コネクタ６０に支持された電線側端子６１の丸ピン端子６２と接続される。併せて、雄雌のハウジング６５，８２間が第３シールリング９５によりシールされ、また、シールドシェル８７の前側筒部８８Ａがハウジング本体６６の後端部の外周に嵌合され、第２シールリング６８Ｂでシールされるようになっている。
【００３４】
本実施形態では、待ち受け側コネクタ６０と可動側コネクタ８０の嵌合・離脱状態を電気的に検知するインターロック回路１００が設けられており、以下これについて簡単に説明する。
図５に示すように、可動側コネクタ８０の雌ハウジング８２の嵌合部８３Ａの前面における右端部には、ショートピン１０１が装着されたショートピン装着部１０２が設けられている。
一方、機器側からはインターロックコネクタ１０５が導出されている。このインターロックコネクタ１０５には、機器側から引き出された一対のリード線１０６の先端に接続された雌端子（図示せず）が収容されている。
【００３５】
待ち受け側コネクタ６０の雌ハウジング８２には、インターロックコネクタ１０５（雌端子）とショートピン１０１とを接続する中継導体１１０が設けられている。中継導体１１０は、Ｌ字形に曲げ形成された一対のバスバーにより構成されている。
雌ハウジング８２には、図５に示すように、長寸側の端子台６７の手前側に沿ってその基端から先端に向けて延出されたのち、奥側に向けて直角に曲げられてなるＬ字形をなす導体埋設部１１２が形成されている。
【００３６】
導体埋設部１１２の基端部には第１接続部１１３が設けられ、同第１接続部１１３は、上記のショートピン装着部１０２と対向した位置において、雄ハウジング６５におけるハウジング本体６６の奥面から突出した形態で形成されている。第１接続部１１３内には、両端が雌形嵌合部とされた２本の中継端子１１５が装着されるようになっている（図５参照）。一方、導体埋設部１１２の先端部には、チャンネル形をなす第２接続部１１６が形成されている。
【００３７】
一対のＬ字形をなすバスバーからなる中継導体１１０は、インサート成形により導体埋設部１１２に埋設された形態で雄ハウジング６５に一体的に設けられている。ここで中継導体１１０の基端部は、第１接続部１１３内に進出し、一方、先端部は、第２接続部１１６内に突出した形態を採る。基端側の第１接続部１１３に中継端子１１５が装着されると、一端側の雌形嵌合部が中継導体１１０の基端部と嵌合接続され、他端側の雌形嵌合部がショートピン１０１と嵌合可能に対向した状態となる。
【００３８】
上記した絶縁カバー３０には、インターロックコネクタ１０５と嵌合されるコネクタ部１２０が設けられている。このコネクタ部１２０には、図５及び図１１に示すように、インターロックコネクタ１０５が外面側から嵌合可能となっており、コネクタ部１２０の内方突出部には、上記した導体埋設部１１２の第２接続部１１６が外嵌可能となっている。第２接続部１１６がコネクタ部１２０の内方突出部に嵌着されると、第２接続部１１６内に突出した中継導体１１０の先端部がコネクタ部１２０内に進出する。係る状態でコネクタ部１２０にインターロックコネクタ１０５が嵌合されると、同インターロックコネクタ１０５に収容された一対の雌端子が、中継導体１１０の先端部と個別に接続されるようになっている。
【００３９】
本実施形態の作用を説明する。
コネクタ装置を機器のケースに組み付ける手順の一例は、以下のようである。ハーネスＷＨの端末には可動側コネクタ８０が接続され、すなわち２本の電線Ｗの端末に接続された端子金具８１が雌ハウジング８２の端子収容室８５に収容されるとともに、雌ハウジング８２の嵌合面に設けられたショートピン装着部１０２にショートピン１０１が装着される。また、シールドシェル８７の後端部に一括シールド部材が嵌着されるとともに、シールドシェル８７に立ち上がり形成されたボルト支持部９０に、第３ボルト９２が回転のみを自由に支持される。
【００４０】
筐体２０については、コネクタ装着部３５に待ち受け側コネクタ６０が、導入孔２２に絶縁カバー３０が順次に装着される。これに伴い、待ち受け側コネクタ６０の端子台６７に支持された電線側端子６１の先端部が、絶縁カバー３０の上板３２Ｕの各作業孔３４の直下位置まで進出する。また、待ち受け側コネクタ６０に設けられた導体埋設部１１２の第２接続部１１６と、絶縁カバー３０に設けられたコネクタ部１２０とが接続され、中継導体１１０の先端部がコネクタ部１２０内に進出した状態となる。コネクタ部１２０は、導入孔２２における開口面から少し内方に入った位置に臨んでいる。
なお、筐体２０の上面にはサービスカバー５０が被せられて第２ボルト５３により仮止めされ、係る状態で機器への組み付け現場に搬入される。
【００４１】
組み付け現場では、まず機器のケースの取付孔からインターロックコネクタ１０５が引き出され、筐体２０の装着面２１の導入孔２２を通して同導入孔２２に臨んだコネクタ部１２０に嵌合され、インターロックコネクタ１０５に収容された２個の雌端子と、中継導体１１０の先端部とが個々に接続される。これによりインターロック回路１００における言わば待ち受け側回路が形成される。
【００４２】
次に、筐体２０が機器のケースの縦面に取り付けられる。すなわち、機器のケースの取付孔から手前側に突出した２本の機器側端子１０を、導入孔２２から絶縁カバー３０の各挿入溝３３を通して内部に導入しつつ、筐体２０の装着面２１がケースの縦面に当てられ、四つ角の取付片２３をボルト締めすることにより、パッキン２５で取付孔の回りをシールした形態で取り付けられる。これに伴い、図１５に示すように、２本の機器側端子１０は電線側端子６１と直交する姿勢を採った上で、先端部同士が上下に重ね合わされる。各重ね合わされた部分は、絶縁カバー３０の上板３２Ｕの各作業孔３４の直下に位置する。
【００４３】
次に、機器側端子１０と電線側端子６１との接続作業が行われる。それには、第２ボルト５３を緩めることにより仮止めされていたサービスカバー５０を外す。これにより筐体２０の上面の開口部４０が開放されるから、第４ボルト７５が開口部４０並びに作業孔３４を通って、重なり合った機器側端子１０の先端部のボルト挿通孔１１に挿通されたのち、電線側端子６１の先端部のボルト孔６３にねじ込まれることで接続される。
そののち、サービスカバー５０が筐体２０の上面に被せられ、３箇所において第２ボルト５３が締結されて固定される。このとき、開口部４０の回りでパッキン４２が弾縮されることにより開口部４０がシールされる。また、延出部５２の後縁に立ち上がり形成された被挟持板５６が、コネクタ装着部３５に立ち上がり形成された第２締結部３７の右側面に沿って配される。以上により、筐体２０のケースへの取付作業が完了する。
【００４４】
給電用の導電路を形成する場合は、筐体２０に装着された待ち受け側コネクタ６０に対し、ハーネスＷＨの端末に設けられた可動側コネクタ８０を嵌合する。嵌合が開始されると、シールドシェル８７のボルト支持部９０に支持された第３ボルト９２の先端が、筐体２０に設けられた第２締結部３７のボルト孔３８に係合し、続いて同第３ボルト９２をねじ込むことで、図１５に示す正規位置まで嵌合される。このとき、図９及び図１０に示すように、サービスカバー５０に突設された被挟持板５６が、挿通溝５７に第３ボルト９２を貫通させつつ、第２締結部３７とボルト支持部９０との間に挟まれた状態となる。
【００４５】
待ち受け側コネクタ６０に対し可動側コネクタ８０が正規に嵌合されると、図１５に示すように、各電線Ｗの端末の端子金具８１が、待ち受け側コネクタ６０に支持された対応する電線側端子６１の丸ピン端子６２と個別に接続され、これにより所定の導電路が構成される。それとともに、可動側コネクタ８０の嵌合面に設けられたショートピン装着部１０２が、待ち受け側コネクタ６０における嵌合面に設けられた第１接続部１１３と嵌合して、中継導体１１０の基端部とショートピン１０１とが中継端子１１５を介して接続され、インターロック回路１００がオンとなって導電路が導通状態とされる。
【００４６】
メンテナンス等を行うべくコネクタ装置を機器のケースから外す場合は、以下のような手順で行う。まず、ハーネスＷＨの端末の可動側コネクタ８０を、筐体２０に装着された待ち受け側コネクタ６０から離脱する。詳細には、第３ボルト９２を緩めることで可動側コネクタ８０を次第に離脱させ、第３ボルト９２がボルト孔３８から抜けたのちは、可動側コネクタ８０を手動により待ち受け側コネクタ６０から引き抜く。可動側コネクタ８０が待ち受け側コネクタ６０から完全に離脱されるまでの間に、ショートピン１０１が、中継導体１１０の基端部に接続されていた中継端子１１５から引き抜かれ、インターロック回路１００がオフとなって導通路が遮断状態とされる。
【００４７】
続いて、第２ボルト５３を緩めることでサービスカバー５０が外されるが、上記のように可動側コネクタ８０が待ち受け側コネクタ６０から離脱されることにより、シールドシェル８７のボルト支持部９０に支持された第３ボルト９２が、サービスカバー５０の延出部５２に設けられた被挟持板５６の後方に逃げるから、サービスカバー５０に対する係止が解除されてサービスカバー５０を上方に持ち上げつつ外すことができる。これにより開口部４０が開放されるから、同開口部４０並びに作業孔３４を通して第４ボルト７５を緩めて外すと、機器側端子１０と電線側端子６１の先端部同士の結合が解除される。
【００４８】
係る状態から筐体２０を手前側に引くと、２本の機器側端子１０が筐体２０の装着面２１から後方に次第に抜けつつ、筐体２０が次第に外される。このときインターロックコネクタ１０５は、コネクタ部１２０に嵌合したまま引き出されるが、機器側端子１０が完全に抜けたのち等に、筐体２０の導入孔２２に手を入れてインターロックコネクタ１０５をコネクタ部１２０から外す。これにより、筐体２０を機器のケースから完全に外すことが可能になる。
【００４９】
ここで、上記したようにコネクタ装置をケースから外す作業を行うに当たり、可動側コネクタ８０を筐体２０に装着された待ち受け側コネクタ６０から離脱させる前、すなわち導通路が未だ導通状態であるときに先にサービスカバー５０を外すと、開口部４０を通して導通路が開放されるために誤って導電路に触れるおそれがある。
しかしながらこの実施形態では、待ち受け側コネクタ６０と可動側コネクタ８０とを嵌合状態に保持するべく、可動側コネクタ８０（シールドシェル８７）のボルト支持部９０に回転のみを自由に支持された第３ボルト９２が、筐体２０に設けられた第２締結部３７のボルト孔３８にねじ込まれている場合に、同第３ボルト９２が、サービスカバー５０の延出部５２に立ち上がり形成された被挟持板５６の挿通溝５７を貫通した構造となっている。係る構造により取り外し阻止機構部Ａ１が構成されている。
【００５０】
そのため、先に第２ボルト５３を緩めてサービスカバー５０を持ち上げようとしても、サービスカバー５０に設けられた被挟持板５６の挿通溝５７の底縁が、螺着されている第３ボルト９２の軸部に係止されて、サービスカバー５０を外すことができない。言い換えると、可動側コネクタ８０が待ち受け側コネクタ６０から離脱されて導電路が遮断状態となって初めて、サービスカバー５０を外すことが可能となる。結果、導通状態にある導電路が開口部４０を通して外部に開放されることが防止される。
【００５１】
本実施形態によれば、以下のような効果を得ることができる。
ハーネスが、筐体２０における機器のケースへの装着面２１とは直角をなして隣り合った側面から引き出される構造であるから、筐体２０すなわち機器用コネクタ装置の突出端側の省スペース化を図ることができる。ハーネスＷＨを側方に引き出す手段として、シンプルな構造のＩ字形端子からなる機器側端子１０と電線側端子６１同士を直交姿勢でボルト締めするようにしたから、待ち受け側コネクタ６０や筐体２０等、全体構造を簡単に留めることができる。
【００５２】
また、可動側コネクタ８０が待ち受け側コネクタ６０と嵌合状態に保持されている限りは、サービスカバー５０を外すことができず、言い換えると、可動側コネクタ８０が待ち受け側コネクタ６０から離脱されて導電路が遮断状態となって初めて、サービスカバー５０を外すことが可能となる。そのため、導通状態にある導電路が開口部４０を通して外部に開放される事態が生じることが、未然に防止される。
【００５３】
＜実施形態２＞
次に、実施形態２を図１７ないし図２６によって説明する。この実施形態２では、サービスカバー５０Ｘを誤ったタイミングで取り外すことを阻止するために、実施形態１とは別の手段を講じたものを例示している。以下では、主に実施形態１との相違点について説明することとし、実施形態１と同一機能を有する部材、部位については、同一符号を付すことで説明を省略し、または簡略化する。
【００５４】
本実施形態では、筐体２０の上面に形成された開口部４０を覆うサービスカバー５０Ｘが、筐体２０の上面に被せられる概ね方形状をなすカバー本体５１と、筐体２０の右側縁の上部に当てられるべくカバー本体５１の右側縁から下向きに屈曲された屈曲部５２Ｘとを備えている。
実施形態１と同様に、カバー本体５１の周縁部における３位置、すなわち筐体２０の上面に設けられた各取付座４３と対応した左手前角部、奥縁における左端部にやや寄った位置、並びに右側縁における手前側の端部にやや寄った位置の３位置に、第２ボルト５３が挿通されるボルト挿通孔５３Ａが形成されている。サービスカバー５０Ｘが筐体２０の上面に被着された場合における各ボルト挿通孔５３Ａの配設位置が、ボルト締結部１５０となる。
【００５５】
一方、可動側コネクタ８０においては、シールドシェル８７に設けられたボルト支持部９０の頂上部から、覆い部１５２が前方に向けて突出形成されている。この覆い部１５２は、可動側コネクタ８０が待ち受け側コネクタ６０に正規嵌合された場合に、図２１に示すように、カバー本体５１の右側縁における手前側の端部にやや寄った位置に設定されたボルト締結部１５０Ｘの上方を覆うことができる位置まで進出可能である。係る構造により、係る構造により取り外し阻止機構部Ａ２が構成されている。
【００５６】
実施形態２の作用は以下のようである。実施形態１と同様の態様で筐体２０が機器のケースに取り付けられ、筐体２０の内部では、機器側端子１０と電線側端子６１とが互いに直交姿勢で第４ボルト７５により締結されて接続され、開口部４０はサービスカバー５０Ｘで水密に閉鎖されている。
給電用の導電路を形成する場合は、図１７及び図１８に示すように、筐体２０に装着された待ち受け側コネクタ６０に対し、ハーネスＷＨの端末に設けられた可動側コネクタ８０が嵌合される。嵌合が開始されると、シールドシェル８７のボルト支持部９０に支持された第３ボルト９２の先端が、筐体２０に設けられた第２締結部３７のボルト孔３８に係合し、続いて同第３ボルト９２をねじ込むことで、図２１に示す正規位置まで嵌合される。
【００５７】
正規嵌合されると、同様に所定の導電路が構成されるとともに、インターロック回路１００がオンとなって導電路が導通状態とされる。
この間に、ボルト支持部９０の頂上から前方に突出形成された覆い部１５２の先端部が、筐体２０の第２締結部３７の上方を通過したのち、図２１に示すように、サービスカバー５０Ｘのカバー本体５１における右側縁に設定されたボルト締結部１５０Ｘの上方を覆った状態となる。
【００５８】
メンテナンス等を行うべくコネクタ装置を機器のケースから外す場合は、第３ボルト９２を緩め、そののち可動側コネクタ８０を引き抜くことで待ち受け側コネクタ６０から離脱する。その間に、インターロック回路１００がオフとなって導通路が遮断状態とされる。
続いて、第２ボルト５３を緩めることでサービスカバー５０Ｘが外されるが、上記のように可動側コネクタ８０が待ち受け側コネクタ６０から離脱されることに伴い、可動側コネクタ８０（シールドシェル８７）に設けられた覆い部１５２が、カバー本体５１の右側縁に設定されたボルト締結部１５０Ｘの上方から右側に逃げて、３個のボルト締結部１５０の全てが開放された状態となる。そのため、３箇所で第２ボルト５３を緩めて外すことで、サービスカバー５０Ｘを上方に持ち上げつつ外すことができる。
【００５９】
これにより開口部４０が開放されるから、第４ボルト７５を緩めて外すことで、機器側端子１０と電線側端子６１の先端部同士の結合が解除される。そののちは同様に、筐体２０を手前側に引き、かつインターロックコネクタ１０５をコネクタ部１２０から外ことで、筐体２０が機器のケースから完全に外される。
【００６０】
一方、可動側コネクタ８０を待ち受け側コネクタ６０から離脱させる前にサービスカバー５０Ｘを外そうとしても、少なくとも１箇所のボルト締結部１５０Ｘが覆い部１５２で覆われているため、覆い部１５２が邪魔をして同ボルト締結部１５０Ｘに配された第２ボルト５３を緩めることができず、すなわちサービスカバー５０Ｘを外すことができない。そのため、導通状態にある導電路が開口部４０を通して外部に開放されることが防止される。
【００６１】
実施形態２によれば、実施形態１と同様に、ハーネスＷＨが、筐体２０における装着面２１とは直角をなして隣り合った側面から引き出される構造であるから、筐体２０すなわち機器用コネクタ装置の突出端側の省スペース化を図ることができ、しかもそのための手段として、シンプルな構造のＩ字形端子からなる機器側端子１０と電線側端子６１同士を直交姿勢でボルト締めするようにしたから、待ち受け側コネクタ６０や筐体２０等、全体構造を簡単に留めることができる。
【００６２】
また、可動側コネクタ８０が待ち受け側コネクタ６０と嵌合状態に保持されている限りは、覆い部１５２がボルト締結部１５０Ｘを覆って第２ボルト５３を緩める操作ができず、すなわちサービスカバー５０Ｘを外すことができず、言い換えると、可動側コネクタ８０が待ち受け側コネクタ６０から離脱されて導電路が遮断状態となって初めて、サービスカバー５０Ｘを外すことが可能となる。そのため、導通状態にある導電路が開口部４０を通して外部に開放される事態が生じることが、未然に防止される。
【００６３】
＜他の実施形態＞
本明細書で開示される技術は、上記記述及び図面によって説明した実施形態に限定されるものではなく、例えば次のような実施形態も含まれる。
（１）実施形態１に例示した取り外し阻止機構部に関し、可動側コネクタと待ち受け側コネクタとを嵌合状態に維持するためのボルトに係止するように、サービスカバーに被係止部が設けられていれば、他の構造を採用してもよい。
（２）実施形態２に例示した取り外し阻止機構部に関し、可動側コネクタに設けられる覆い部の形状は、サービスカバーのボルト締結部の配設位置等に応じて任意に変更し得る。
（３）上記実施形態では、電源と車載機器とを結ぶ電気系統に介設される機器用コネクタ装置を例示したが、他の電気系統を構成するべく機器に装着されるコネクタ装置全般に広く適用することができる。
【符号の説明】
【００６４】
１０，１０Ｓ，１０Ｌ…機器側端子
２０…筐体
２１…装着面
２２…導入孔
３５…コネクタ装着部
３７…第２締結部（締結部）
３８…ボルト孔
４０…開口部
４２…パッキン
５０，５０Ｘ…サービスカバー
５３…第２ボルト
５６…被挟持板
５７…挿通溝
６０…待ち受け側コネクタ
６１，６１Ｓ，６１Ｌ…電線側端子
７５…第４ボルト
８０…可動側コネクタ
８１…端子金具
９０…ボルト支持部
９２…第３ボルト
１５０，１５０Ｘ…ボルト締結部（ねじ止め部）
１５２…覆い部
Ａ１…取り外し阻止機構部
Ａ２…取り外し阻止機構部
Ｗ…電線
ＷＨ…ハーネス
【図１】
2016213046.tif 000003
【図２】
2016213046.tif 000004
【図３】
2016213046.tif 000005
【図４】
2016213046.tif 000006
【図５】
2016213046.tif 000007
【図６】
2016213046.tif 000008
【図７】
2016213046.tif 000009
【図８】
2016213046.tif 000010
【図９】
2016213046.tif 000011
【図１０】
2016213046.tif 000012
【図１１】
2016213046.tif 000013
【図１２】
2016213046.tif 000014
【図１３】
2016213046.tif 000015
【図１４】
2016213046.tif 000016
【図１５】
2016213046.tif 000017
【図１６】
2016213046.tif 000018
【図１７】
2016213046.tif 000019
【図１８】
2016213046.tif 000020
【図１９】
2016213046.tif 000021
【図２０】
2016213046.tif 000022
【図２１】
2016213046.tif 000023
【図２２】
2016213046.tif 000024
【図２３】
2016213046.tif 000025
【図２４】
2016213046.tif 000026
【図２５】
2016213046.tif 000027
【図２６】
2016213046.tif 000028